(57)【要約】【課題】追記型光ディスクでの擬似オーバーライトなど、交替先としてユーザデータ領域内の領域を割り当てる交替記録の場合、割りあてた交替先が欠陥であった場合には更にスペア領域内の領域が割り当てられるが、最初に割り当てられたユーザデータ領域内の領域は交替先が割り当てられず、ユーザデータ領域内に欠陥領域が放置されることになる。【解決手段】領域１に対して交替のために領域２を割り当て、前記領域２が欠陥である場合に、前記領域１の交替のために領域３を割り当てるとともに、前記領域２の交替のために前記領域３（もしくは領域４）を割り当てる。【選択図】図８
2009230830.tif 000002
【特許請求の範囲】
【請求項１】
情報記録媒体へデータの記録を行う情報記録方法であって、
領域１に対して、交替のために領域２を割り当てるステップと、
前記領域２が欠陥である場合に、前記領域１の交替のために領域３を割り当てるとともに、前記領域２の交替のために前記領域３を割り当てるステップと
を備えた情報記録方法。
【請求項２】
前記情報記録媒体は、
ユーザデータを記録するためのユーザデータ領域、
もしくは前記ユーザデータ領域と、前記ユーザデータ領域の交替先として使用可能なスペア領域から構成されるデータ領域を備え、
前記領域２は前記ユーザデータ領域内の領域である、請求項１記載の情報記録方法。
【請求項３】
情報記録媒体へデータの記録を行う情報記録方法であって、
領域１に対して、交替のために領域２を割り当てるステップと、
前記領域２が欠陥である場合に、前記領域１の交替のために領域３を割り当てるとともに、前記領域２の交替のために領域４を割り当てるステップと
を備えた情報記録方法。
【請求項４】
前記情報記録媒体は、
ユーザデータを記録するためのユーザデータ領域、
もしくは前記ユーザデータ領域と、前記ユーザデータ領域の交替先として使用可能なスペア領域から構成されるデータ領域を備え、
前記領域２は前記ユーザデータ領域内の領域である、請求項３記載の情報記録方法。
【請求項５】
前記領域４は前記ユーザデータ領域内の領域であり、
正常にデータが記録された前記領域２近傍に位置する記録済み領域であることを特徴とする、請求項４記載の情報記録方法。
【請求項６】
前記領域４は、前記データ領域内の領域では無いこと
を特徴とする、請求項４記載の情報記録方法。
【請求項７】
情報記録媒体へデータの記録を行う情報記録装置であって、
領域１に対して、交替のために領域２を割り当てる手段と、
前記領域２が欠陥である場合に、前記領域１の交替のために領域３を割り当てるとともに、前記領域２の交替のために前記領域３を割り当てる手段と
を備えた情報記録装置。
【請求項８】
前記情報記録媒体は、
ユーザデータを記録するためのユーザデータ領域、
もしくは前記ユーザデータ領域と、前記ユーザデータ領域の交替先として使用可能なスペア領域から構成されるデータ領域を備え、
前記領域２は前記ユーザデータ領域内の領域である、請求項７記載の情報記録装置。
【請求項９】
情報記録媒体へデータの記録を行う情報記録装置であって、
領域１に対して、交替のために領域２を割り当てる手段と、
前記領域２が欠陥である場合に、前記領域１の交替のために領域３を割り当てるとともに、前記領域２の交替のために領域４を割り当てる手段と
を備えた情報記録装置。
【請求項１０】
前記情報記録媒体は、
ユーザデータを記録するためのユーザデータ領域、
もしくは前記ユーザデータ領域と、前記ユーザデータ領域の交替先として使用可能なスペア領域から構成されるデータ領域を備え、
前記領域２は前記ユーザデータ領域内の領域である、請求項９記載の情報記録装置。
【請求項１１】
前記領域４は前記ユーザデータ領域内の領域であり、
正常にデータが記録された前記領域２近傍に位置する記録済み領域であることを特徴とする、請求項１０記載の情報記録装置。
【請求項１２】
前記領域４は、前記データ領域内の領域では無いこと
を特徴とする、請求項１０記載の情報記録装置。
【請求項１３】
データが記録再生される情報記録媒体であって、
少なくとも２つの異なる領域である領域１および領域２の交替先として、同一の領域３が割り当てられていることを特徴とする情報記録媒体。
【請求項１４】
前記情報媒体は、
ユーザデータを記録するためのユーザデータ領域、
もしくは前記ユーザデータ領域と、前記ユーザデータ領域の交替先として使用可能なスペア領域から構成されるデータ領域を備え、
前記領域１および前記領域２は前記ユーザデータ領域内の領域である、請求項１３記載の情報記録媒体。
【請求項１５】
情報記録媒体からのデータの読み出しを行う情報再生方法であって、
前記情報記録媒体は、
ユーザデータを記録するためのユーザデータ領域、
もしくは前記ユーザデータ領域と、前記ユーザデータ領域の交替先として使用可能なスペア領域から構成されるデータ領域を備え、
交替のために割り当てられた領域が前記データ領域に含まれない場合、前記情報記録媒体からのデータの読み出しを行わず、所定のデータを読み出されたデータとして扱うステップを備えた情報再生方法。
【請求項１６】
情報記録媒体からのデータの読み出しを行う情報再生装置であって、
前記情報記録媒体は、
ユーザデータを記録するためのユーザデータ領域、
もしくは前記ユーザデータ領域と、前記ユーザデータ領域の交替先として使用可能なスペア領域から構成されるデータ領域を備え、
交替のために割り当てられた領域が前記データ領域に含まれない場合、前記情報記録媒体からのデータの読み出しを行わず、所定のデータを読み出されたデータとして扱う手段を備えた情報再生装置。
【発明の詳細な説明】
【技術分野】
【０００１】
本発明は欠陥管理機能を備えた情報記録媒体に対する記録方法、記録装置に関するものであり、特にＢＤ−Ｒなどの追記型光ディスクにおける擬似オーバーライトのような交替記録機能を有する光ディスクドライブ等に有効である。
【背景技術】
【０００２】
近年、大容量で交換可能な情報記録媒体、およびそれを扱うディスクドライブ装置が広く普及している。
【０００３】
従来の大容量で交換可能な情報記録媒体としては、ＤＶＤやＢｌｕ−ｒａｙ  Ｄｉｓｃ（以下、ＢＤとも記載する。）といった光ディスクが良く知られている。光ディスクドライブ装置は、レーザ光を用いて光ディスク上に微小なピットを形成することによって記録再生を行う装置であり、大容量で交換可能な情報記録に適している。レーザ光としてＤＶＤは赤色レーザ、ＢＤは赤色レーザより波長が短い青色レーザを用いることが特徴であり、それによりＢＤはＤＶＤよりも記録密度を高め、大容量化を実現している。
【０００４】
図１は、一般的な光ディスクの領域構成図である。円盤状の光ディスク１には、スパイラル状に多数のトラック２が形成されており、各トラック２には細かく分けられた多数のブロック３が形成されている。
【０００５】
ここで、トラック２の幅（トラックピッチ）は、例えばＢＤでは０．３２μｍであったりする。またブロック３は、エラー訂正の単位であり、記録および再生動作が行われる最小の単位である。例えば、ＤＶＤの場合には１ＥＣＣ（サイズ：３２ＫＢｙｔｅ）、ＢＤの場合には１クラスタ（サイズ：６４Ｋｂｙｔｅ）といったサイズであり、光ディスクのデータの最小単位であるセクタ（サイズ：２ＫＢｙｔｅ）という単位を用いて説明すると、１ＥＣＣ＝１６セクタ、１クラスタ＝３２セクタとなる。
【０００６】
なお、以下の文中でクラスタと記載した場合は、全て、ＢＤでのブロック３と同じ意味であることを留意頂きたい。
【０００７】
図２は、記録層を１層備えた、１回のみ記録可能な追記型光ディスクにおけるデータ構造図である。
【０００８】
光ディスク１は、リードイン領域４とデータ領域５とリードアウト領域６に大別される。
【０００９】
データ領域５はユーザデータ領域１５と、スペア領域１６（より正確には、スペア領域１６ａとスペア領域１６ｂ）とから構成される。
【００１０】
ユーザデータ領域１５とは、音楽やビデオなどのリアルタイムデータや文章やデータベースなどのコンピュータデータなど、ユーザによって任意の情報が記録可能な領域である。
【００１１】
スペア領域１６とは、ユーザデータ領域１５内のあるブロック３の代わりにデータを記録する交替領域のことであり、例えばユーザデータ領域１５において欠陥ブロックが検出された場合などに、そのブロックの交替領域として使用される領域である。本図では、スペア領域１６は、データ領域５の内周側（つまりリードイン領域４側のスペア領域１６ａ）と外周側（つまりリードアウト領域６側のスペア領域１６ｂ）に１つずつ存在する場合を例としている。なお、以降では、スペア領域１６ａとスペア領域１６ｂを総称して、スペア領域１６と記載する。
【００１２】
リードイン領域４は、光ディスク１の径方向に向かってデータ領域５より内周側に位置する領域であり、またリードアウト領域６は光ディスク１の径方向に向かってデータ領域５より外周側に位置する領域である。これらの領域は、光ディスク１に関する管理情報を記録するための領域や、記録パワーなど調整（学習）用の領域等を備える他に、光ピックアップ（図示せず）のオーバーランを防ぐ役割を果たす領域でもある。
【００１３】
リードイン領域４は、第１の欠陥管理領域１０（以下、ＤＭＡ１とも記載する。）と第２の欠陥管理領域１１（以下、ＤＭＡ２とも記載する。）と一時的欠陥管理領域１４（以下、ＴＤＭＡ１４とも記載する。）とを備えている。
【００１４】
ＤＭＡ１とＤＭＡ２、およびＴＤＭＡ１４は共に、光ディスク１のデータ構造や欠陥・交替に関する位置情報などディスクの管理情報を記録するための領域である。
【００１５】
ここでＴＤＭＡは、書換え型光ディスクには存在しない、欠陥管理機能を備えた追記型光ディスクに特有の領域であり、１回しか記録できない追記型光ディスクにおいて、記録再生を行う過程で変化するディスクの状態（例えば欠陥位置に関する情報や、記録済み終端位置など）を示す管理情報を一時的に記録しておくための領域である。なお、ＴＤＭＡ領域はリードイン領域４内だけでなく、例えばスペア領域１６中に確保することが出来たりもする。
【００１６】
リードアウト領域６は、第３の欠陥管理領域１２（以下、ＤＭＡ３とも記載する。）と第４の欠陥管理領域１３（以下、ＤＭＡ４とも記載する。）とを備えている。
【００１７】
ＤＭＡ３とＤＭＡ４は共に光ディスク１のデータ構造や、欠陥・交替に関する位置情報などディスクの管理情報を記録するための領域である。
【００１８】
外周テスト領域２１は、光ディスクドライブ装置の調整（学習）用に用意されている領域であり、例えば内周テスト領域２０と同様に記録パワーの調整等に用いることも可能である。
【００１９】
ここでＤＭＡとは、一般的には欠陥管理領域（Ｄｅｆｅｃｔ  Ｍａｎａｇｅｍｅｎｔ  Ａｒｅａ）のことであるが、欠陥管理情報以外にもディスクに関する様々な情報（ディスク管理情報）を備え得ることから、もっと広い意味で、ディスク管理領域（Ｄｉｓｃ  Ｍａｎａｇｅｍｅｎｔ  Ａｒｅａ）とも呼ばれる領域である。
【００２０】
ここでＤＭＡ１〜ＤＭＡ４はそれぞれ光ディスク１における所定の位置に配置され、さらにＤＭＡ１〜ＤＭＡ４には全て同じ情報が多重記録されている。これは、ＤＭＡ１〜ＤＭＡ４自身が欠陥に冒されている場合の備えであり、例え正しく再生されないＤＭＡがあってもどれか１つでも正しく再生できるＤＭＡがあれば欠陥管理情報を取得することができるように考えられたためである。これらの領域構成は書換え型光ディスクと同じ構成・サイズであり、追記型光ディスクの場合には、例えばディスクを追記不可（再生のみ許可）状態とするファイナライズと呼ばれる処理の過程において１回のみ記録されることになる（例えば特許文献１）。
【００２１】
ＤＭＡ１〜ＤＭＡ４、およびＴＤＭＡ１４は、ディスク定義構造３０（以下、ＤＤＳ３０とも記載する。）と欠陥リスト３１（以下、ＤＦＬ３１とも記載する。）とを備えている。
【００２２】
ＤＦＬ３１は、ヘッダ４０と０個以上の欠陥エントリ４１とアンカ４２から構成される。
【００２３】
ヘッダ４０は、ＤＦＬ３１に含まれる欠陥エントリ４１の個数である欠陥エントリ数や、ＤＦＬ３１が更新された回数である更新回数情報などの情報を含む。
【００２４】
欠陥エントリ４１は主に欠陥ブロックや交替ブロックの位置情報に関する情報であり、例えばユーザデータ領域１５中で検出された欠陥ブロックの位置情報である交替元情報５０と、その欠陥ブロックの交替先であるスペア領域１６中の交替ブロックの位置情報である交替先情報５１を含む。なお追記型光ディスクにおいて擬似的にデータを書き換えたように見せかける擬似オーバーライト（詳細は後述する）を行った場合も欠陥エントリ４１として登録することもあるため、厳密に言えば、交替元情報５０は欠陥ブロックに限定されない交替記録における交替元ブロックの位置情報、交替先情報５１はスペア領域１６に限定されない（例えばユーザデータ領域１５中の）交替先ブロックの位置情報である。そして欠陥エントリ４１も欠陥に関する位置情報だけではなく、欠陥・交替記録に関する位置情報である。なお欠陥エントリ４１の交替元情報５０、交替先情報５１に含まれる交替元、交替先の位置情報は一般的にＰＢＡと呼ばれる物理アドレス（詳細は後述参照）で表される。なお欠陥エントリ４１は、交替記録が発生したことを示す交替元と交替先を繋ぐダイレクトポインタ情報を備えたものの他に、単に欠陥であったことを示す（欠陥ブロックの位置情報だけを持つ）もの等、いくつかの種類（属性）が存在する。なお、交替記録が発生したことを示す交替元と交替先を繋ぐダイレクトポインタ情報が欠陥エントリ４１としてＤＦＬ３１に登録されている場合、交替元の領域へのデータ書き込み、および交替元の領域からのデータ読み出しは全て交替先の領域に対して実施されることになる。
【００２５】
ＤＤＳ３０は、ＤＦＬ３１の配置位置を示すＤＦＬ先頭位置情報などを含む。
【００２６】
なお、ＤＭＡ１〜ＤＭＡ４、ＴＤＭＡ１４は、ＤＤＳ３０、ＤＦＬ３１の他に、そのディスクにおける記録開始位置や記録終了位置といった記録状態情報等の情報を含んだりする場合もある。
【００２７】
図３、図４は、追記型光ディスクにおける欠陥管理機能を説明する説明図である。ここで図中の×印は欠陥ブロックを示している。またＬＢＡとは、ユーザからアクセス可能な領域である論理空間に割り当てられる論理アドレス（Ｌｏｇｉｃａｌ  Ｂｌｏｃｋ  Ａｄｄｒｅｓｓ）のことであり、ＰＢＡとは、光ディスク上の実アドレス、つまり物理アドレス（Ｐｈｙｓｉｃａｌ  Ｂｌｏｃｋ  Ａｄｄｒｅｓｓ）のことである。ＬＢＡの最大サイズはユーザデータ領域１５のサイズである。一般的にユーザデータ領域１５内のＰＢＡに対してＬＢＡが１対１で割り当てられることになるが、欠陥などによる交替記録が発生した場合には、交替記録先のＰＢＡに対してＬＢＡが割り当てられることになる。またＮＷＡとは、所定の領域内において連続記録を行う追記型光ディスクにおいて、次に記録可能なアドレス（一般的にはＬＢＡ）を示す。追記型光ディスクにおける次に記録可能な位置であるため、ＮＷＡが示す位置は必ず未記録状態の領域である。
【００２８】
図３（Ａ）は、ＬＢＡ：０ｈの位置から、１００ｈセクタのサイズのデータを連続記録した後の追記型光ディスクの状態を示している。
【００２９】
ここで１００ｈとは、１６進数表記での１００（１０進数表記で２５６）を表す。ＬＢＡ：０から１００ｈセクタの記録が行われると、次に記録可能な位置であるＮＷＡは１００ｈとなる。
【００３０】
図３（Ｂ）は、図３（Ａ）に続けて、つまりＮＷＡが示すＬＢＡ：１００ｈの位置から２０ｈセクタのサイズのデータを連続記録した場合の追記型光ディスクの状態を示している。記録を行うＬＢＡ：１００ｈ（ＰＢＡ：１２０１００ｈ）のブロック３は欠陥ブロックであるため、そのブロックへの記録は失敗する。この場合、欠陥ブロックの代替領域としてスペア領域１６中のブロック３（図の例ではＰＢＡ：１０００００ｈのブロック３）が割り当てられ、この領域へ交替記録される。そして、交替先へのデータ記録が成功した場合、ＤＦＬ３１に交替記録に関する情報である欠陥エントリ４１が登録される。欠陥エントリ４１は交替元の先頭位置情報（ＰＢＡ）等を表す交替元情報５０と、交替先の先頭位置情報（ＰＢＡ）等を表す交替先情報５１とを含む、交替元と交替先とのダイレクトポインタ情報である。この例の場合では、交替元はＰＢＡ：１２０１００ｈのブロック３、交替先はＰＢＡ：１０００００ｈのブロックであるため、図に示すような欠陥エントリ４１となる。
【００３１】
この結果、もともとＬＢＡ：１００ｈの位置に相当するＰＢＡ：１２０１００ｈのブロック３は交替記録され、ＰＢＡ：１０００００ｈのブロック３がＬＢＡ：１００ｈに対応するブロック３となる。
【００３２】
図４も、追記型光ディスクにおける欠陥管理機能を説明する説明図であるが、スペア領域１６中のＰＢＡ：１０００００ｈのブロック３も欠陥ブロックである点が図３と異なる点である。
【００３３】
図４（Ａ）は、図３（Ａ）と同じである。
【００３４】
図４（Ｂ）も、図４（Ｂ）同様、図４（Ａ）に続けて、つまりＮＷＡが示すＬＢＡ：１００ｈの位置から２０ｈセクタのサイズのデータを連続記録した場合の追記型光ディスクの状態を示している。記録を行うＬＢＡ：１００ｈ（ＰＢＡ：１２０１００ｈ）のブロック３は欠陥ブロックであるため、そのブロックへの記録は失敗する。この場合、欠陥ブロックの代替領域としてスペア領域１６中のブロック３（図の例ではＰＢＡ：１０００００ｈのブロック３）が割り当てられ、この領域へ交替記録される。しかし交替先として割り当てたＰＢＡ：１０００００ｈのブロック３も欠陥ブロックであるため、さらにスペア領域１６中の次のブロック３、つまりＰＢＡ：１０００２０ｈのブロック３へ交替記録される。そして、交替先へのデータ記録が成功した場合、図３と同様にＤＦＬ３１に交替記録に関する情報である欠陥エントリ４１が登録される。欠陥エントリ４１はダイレクトポインタ情報であるため、交替元情報５０としては記録要求を受けた位置、つまりＰＢＡ：１２０１００ｈが、交替先情報５１としては最終的に交替記録された位置、つまりＰＢＡ：１０００２０ｈとなる。よってＬＢＡ：１００ｈはＰＢＡ：１０００２０ｈのブロック３が相当することになる。
【００３５】
このとき、交替先として最初に割り当てられた、欠陥ブロックであったＰＢＡ：１０００００ｈのブロック３についての情報（欠陥エントリ４１）はＤＦＬ３１に登録されるとは限らない。より詳細に言えば、単に欠陥であったことを示す欠陥エントリ４１として登録されることはあり得るが、交替記録が発生したことを示す欠陥エントリ４１として登録されることは無い。それは欠陥エントリ４１がダイレクトポインタ情報だからである。さらに言えば、このブロック３はスペア領域１６中の無効ブロックであるため、ＬＢＡ空間が割り当てられない領域である。よってユーザからのデータへのアクセスが発生することは無く、特にＤＦＬ３１に登録しておかなくとも問題になることは無いと言える。
【００３６】
近年、欠陥管理機能、あるいは交替記録機能を備えた追記型光ディスクにおいて、これらの機能を用いてデータを擬似的に上書きしたかのようにみせかける擬似オーバーライト（以下、ＰＯＷとも記載する）と呼ばれる機能が考えられている（例えば特許文献２）。
【００３７】
図５は、追記型光ディスクにおけるＰＯＷ処理を説明する説明図である。ＰＯＷとは、先の図３、図４で説明した欠陥による交替記録機能を応用した機能であり、追記型光ディスクにおける既に記録済みの領域への上書き記録要求に対して、ＮＷＡが示すユーザデータ領域１５内の次に記録可能な領域を交替先として割り当て、その交替先へ交替記録を行い、上書き要求されたブロック３を交替元情報５０、割り当てた交替先を交替先情報５１とした欠陥エントリ４１をＤＦＬ３１に登録するというものである。言い換えれば、交替記録先をユーザデータ領域１５内に割り当てる欠陥交替記録のようなものである。
【００３８】
図５（Ａ）は、ＬＢＡ：０ｈの位置から、１００ｈセクタのサイズのデータを連続記録した後の追記型光ディスクの状態を示している。ＬＢＡ：０から１００ｈセクタの記録が行われると、次に記録可能な位置であるＮＷＡは１００ｈとなる。
【００３９】
図５（Ｂ）は、既に記録済みであるＬＢＡ：０ｈのブロック３に対して２０ｈセクタのサイズのデータを擬似オーバーライト（ＰＯＷ）記録した後の追記型光ディスクの状態を示している。記録済み領域への上書き要求に対して、ユーザデータ領域１５中のＮＷＡが示すＬＢＡ：１００ｈ（ＰＢＡ：１２０１００ｈ）のブロック３を交替先として割り当て、そこへ交替記録される。そして、交替先へのデータ記録が成功した場合、ＤＦＬ３１に交替記録に関する情報である欠陥エントリ４１が登録される。この場合に登録される欠陥エントリ４１は、交替元情報５０としては記録要求を受けた位置、つまりＰＢＡ：１２００００ｈが、交替先情報５１としては交替記録された位置、つまりＰＢＡ：１２０１００ｈとなる。この結果、ＬＢＡ：０ｈはＰＢＡ：１２０１００ｈのブロック３が相当することになる。
【００４０】
ここで注意しなくてはならないのは、交替先として用いたＰＢＡ：１２０１００ｈのブロックは、欠陥交替の場合とは異なり、ユーザデータ領域１５内の領域ということである。つまり、ＰＯＷ記録の交替先として割り当てられたブロック３自身にもＬＢＡが割り当てられているということである。この例で言えば、もともとＬＢＡ：１００ｈが、ＰＢＡ：１２０１００ｈに相当するＬＢＡである。しかしＰＯＷを実施した結果、ＬＢＡ：０ｈもＰＢＡ：１２０１００ｈとなり、結果として同一ＰＢＡ（この例の場合はＰＢＡ：１２０１００ｈ）に対して２つ（複数）のＬＢＡ（この例の場合は、ＬＢＡ：０ｈとＬＢＡ：１００ｈ）が割り当てられることになるというのが、ＰＯＷ処理の特徴である。
【特許文献１】特開２００５−０５６５４２号公報
【特許文献２】特表２００６−５２１６６０号公報
【発明の開示】
【発明が解決しようとする課題】
【００４１】
上述したように、ＰＯＷでは、記録済み領域への擬似的な上書き要求に対して、もともとＬＢＡが割り当てられているユーザデータ領域１５内の領域を交替先として割り当てた交替記録を行う。
【００４２】
もしＰＯＷ記録の交替先として割り当てたユーザデータ領域１５内の交替先ブロックが欠陥ブロックであった場合には、上述の図３、図４に示した場合と同様に、スペア領域１６内のブロック３を交替先として割り当てて欠陥交替記録を行うことになる。
【００４３】
図６は、ＰＯＷ記録の交替先ブロックが欠陥ブロックであった場合の説明図である。ＬＢＡ：１００ｈに相当するＰＢＡ：１２０１００ｈのブロック３が欠陥ブロックであるとする。
【００４４】
図６（Ａ）は、図５（Ａ）と同じである。ＬＢＡ：０ｈの位置から、１００ｈセクタのサイズのデータを連続記録した後の追記型光ディスクの状態を示している。ＬＢＡ：０から１００ｈセクタの記録が行われると、次に記録可能な位置であるＮＷＡは１００ｈとなる。
【００４５】
図６（Ｂ）も、図５（Ｂ）同様、既に記録済みであるＬＢＡ：０ｈのブロック３に対して２０ｈセクタのサイズのデータを擬似オーバーライト（ＰＯＷ）記録した後の追記型光ディスクの状態を示している。記録済み領域への上書き要求に対して、ユーザデータ領域１５中のＮＷＡが示すＬＢＡ：１００ｈ（ＰＢＡ：１２０１００ｈ）のブロック３を交替先として割り当て、そこへ交替記録される。しかしこの例の場合、交替先として割り当てられたＮＷＡが指すＰＢＡ：１２０１００ｈのブロック３は欠陥ブロックであるためこのブロック３へのデータ記録は失敗する。この場合、図３、図４の場合と同様に欠陥ブロックの代替領域としてスペア領域１６中のブロック３（図の例ではＰＢＡ：１０００００ｈのブロック３）が割り当てられ、この領域へ交替記録される。そして、交替先へのデータ記録が成功した場合、図５と同様にＤＦＬ３１に交替記録に関する情報である欠陥エントリ４１が登録される。
【００４６】
ここで上述してきたように欠陥エントリ４１は交替元位置と交替先位置のダイレクトポインタ情報であるため、交替元情報５０は記録要求を受けた位置、つまりＬＢＡ：０ｈに相当するＰＢＡ：１２００００ｈが、交替先情報５１は最終的に交替記録された位置、つまりＰＢＡ：１０００００ｈとなる。よってＬＢＡ：０ｈはＰＢＡ：１０００００ｈのブロック３が相当することになる。
【００４７】
このとき、擬似オーバーライト記録の交替先として最初に割り当てられた、欠陥ブロックであったＰＢＡ：１２０１００ｈのブロック３についての情報（欠陥エントリ４１）はＤＦＬ３１に登録されるとは限らない。より詳細に言えば、単に欠陥であったことを示す欠陥エントリ４１として登録されることはあり得るが、交替記録が発生したことを示す欠陥エントリ４１として登録されることは無い。それは欠陥エントリ４１がダイレクトポインタ情報だからである。
【００４８】
しかしＰＢＡ：１２０１００のブロック３は、図４で示した場合とは異なり、ＬＢＡ空間が割り当てられるユーザデータ領域１５中のブロックである。ＰＢＡ：１２０１００ｈはＬＢＡ：１００ｈのブロックに相当する。そのためユーザからのデータアクセスが発生する領域内に欠陥ブロックを放置してしまうことになる。
【００４９】
より具体的に言えば、この追記型光ディスクを、データの記録位置などを管理するファイルシステム情報を介して読み出し（再生）しようとした場合、ＰＢＡ：１２０１００ｈが相当するＬＢＡ：１００ｈのブロック３には有効なユーザデータを記録しておらず、またＬＢＡ：０ｈはＰＢＡ：１０００００ｈのブロックが割り当てられているため、ＰＢＡ：１２０１００ｈのブロック３へのアクセスが発生することは無い。
【００５０】
しかし例えば、プライベート映像データが記録された追記型光ディスクのデータを他の情報記録媒体に直接コピーするディスク全面再生が行われるようなツールなどでは、論理空間で示されるＬＢＡ：０ｈからＬＢＡサイズ分だけ連続してデータを読み出し（再生）される場合もありうる。このような場合、ＬＢＡ：１００ｈに相当するＰＢＡ：１２０１００ｈのブロック３も読み出しが実施されることになるが、欠陥ブロックであるためデータ読み出しに失敗し、コピーが失敗するといったケースが発生してしまう。
【課題を解決するための手段】
【００５１】
本発明の情報記録方法は、情報記録媒体へデータの記録を行う情報記録方法であって、領域１に対して、交替のために領域２を割り当てるステップと、前記領域２が欠陥である場合に、前記領域１の交替のために領域３を割り当てるとともに、前記領域２の交替のために前記領域３を割り当てるステップとを備え、これにより、上記目的が達成される。
【００５２】
前記情報記録媒体は、ユーザデータを記録するためのユーザデータ領域、もしくは前記ユーザデータ領域と、前記ユーザデータ領域の交替先として使用可能なスペア領域から構成されるデータ領域を備え、前記領域２は前記ユーザデータ領域内の領域であっても良い。
【００５３】
本発明の情報記録方法は、情報記録媒体へデータの記録を行う情報記録方法であって、領域１に対して、交替のために領域２を割り当てるステップと、前記領域２が欠陥である場合に、前記領域１の交替のために領域３を割り当てるとともに、前記領域２の交替のために領域４を割り当てるステップとを備え、これにより、上記目的が達成される。
【００５４】
前記情報記録媒体は、ユーザデータを記録するためのユーザデータ領域、もしくは前記ユーザデータ領域と、前記ユーザデータ領域の交替先として使用可能なスペア領域から構成されるデータ領域を備え、前記領域２は前記ユーザデータ領域内の領域であっても良い。
【００５５】
前記領域４は前記ユーザデータ領域内の領域であり、正常にデータが記録された前記領域２近傍に位置する記録済み領域であっても良い。
【００５６】
前記領域４は、前記データ領域内の領域では無い領域であっても良い。
【００５７】
本発明の情報記録装置は、情報記録媒体へデータの記録を行う情報記録装置であって、領域１に対して、交替のために領域２を割り当てる手段と、前記領域２が欠陥である場合に、前記領域１の交替のために領域３を割り当てるとともに、前記領域２の交替のために前記領域３を割り当てる手段とを備え、これにより、上記目的が達成される。
【００５８】
前記情報記録媒体は、ユーザデータを記録するためのユーザデータ領域、もしくは前記ユーザデータ領域と、前記ユーザデータ領域の交替先として使用可能なスペア領域から構成されるデータ領域を備え、前記領域２は前記ユーザデータ領域内の領域であっても良い。
【００５９】
本発明の情報記録装置は、情報記録媒体へデータの記録を行う情報記録装置であって、領域１に対して、交替のために領域２を割り当てる手段と、前記領域２が欠陥である場合に、前記領域１の交替のために領域３を割り当てるとともに、前記領域２の交替のために領域４を割り当てる手段とを備え、これにより、上記目的が達成される。
【００６０】
前記情報記録媒体は、ユーザデータを記録するためのユーザデータ領域、もしくは前記ユーザデータ領域と、前記ユーザデータ領域の交替先として使用可能なスペア領域から構成されるデータ領域を備え、前記領域２は前記ユーザデータ領域内の領域であっても良い。
【００６１】
前記領域４は前記ユーザデータ領域内の領域であり、正常にデータが記録された前記領域２近傍に位置する記録済み領域であっても良い。
【００６２】
前記領域４は、前記データ領域内の領域では無い領域であっても良い。
【００６３】
本発明の情報記録媒体は、データが記録再生される情報記録媒体であって、少なくとも２つの異なる領域である領域１および領域２の交替先として、同一の領域３が割り当てられて、これにより、上記目的が達成される。
【００６４】
前記情報媒体は、ユーザデータを記録するためのユーザデータ領域、もしくは前記ユーザデータ領域と、前記ユーザデータ領域の交替先として使用可能なスペア領域から構成されるデータ領域を備え、前記領域１および前記領域２は前記ユーザデータ領域内の領域であっても良い。
【００６５】
本発明の情報再生方法は、情報記録媒体からのデータの読み出しを行う情報再生方法であって、前記情報記録媒体は、ユーザデータを記録するためのユーザデータ領域、もしくは前記ユーザデータ領域と、前記ユーザデータ領域の交替先として使用可能なスペア領域から構成されるデータ領域を備え、交替のために割り当てられた領域が前記データ領域に含まれない場合、前記情報記録媒体からのデータの読み出しを行わず、所定のデータを読み出されたデータとして扱うステップを備え、これにより、上記目的が達成される。
【００６６】
本発明の情報再生装置は、情報記録媒体からのデータの読み出しを行う情報再生装置であって、前記情報記録媒体は、ユーザデータを記録するためのユーザデータ領域、もしくは前記ユーザデータ領域と、前記ユーザデータ領域の交替先として使用可能なスペア領域から構成されるデータ領域を備え、交替のために割り当てられた領域が前記データ領域に含まれない場合、前記情報記録媒体からのデータの読み出しを行わず、所定のデータを読み出されたデータとして扱う手段を備え、これにより、上記目的が達成される。
【発明の効果】
【００６７】
ある領域の交替先としてユーザからのデータアクセスが発生するユーザデータ領域１５を割り当てるような記録方法において、万が一、交替先として割り当てたユーザデータ領域１５中の領域が欠陥であった場合でも、その領域をそのまま放置することなく、交替先として割り当てた欠陥領域であった領域に対しても交替先を割り当てた欠陥エントリ４１を欠陥リスト３１に登録することで、プライベート映像データが記録された追記型光ディスクのデータを他の情報記録媒体に直接コピーするディスク全面再生が行われるようなツールが使用された場合でも、データ読み出しに失敗しコピーが失敗することを防ぐことが出来る。
【００６８】
また、交替先として割り当てた欠陥領域であったユーザデータ領域１５の領域に対して割り当てる交替先を制御することで、上述のようなツールを使用した場合の再生時のアクセスパフォーマンスの向上も同時に図ることが出来る。
【発明を実施するための最良の形態】
【００６９】
以下、本発明の実施の形態について、図面を用いて説明する。
【００７０】
（実施の形態１）
（１）装置構成
図７は、本発明の実施の形態１の光ディスク記録再生装置１００の構成を示す。
【００７１】
光ディスク記録再生装置１００は、Ｉ／Ｏバスを介して上位制御装置１７０（図示せず）に接続される。上位制御装置は、例えば、ホストコンピュータである。
【００７２】
光ディスク記録再生装置１００は、上位制御装置１７０からの命令を処理する命令処理部１１０と、光ディスク１の指定されたアドレスへの情報記録などの記録処理を行う記録処理部１２０と、光ディスク１の指定されたアドレスからの情報読み出しなどの再生処理を行う再生処理部１３０と、ＤＭＡ１〜ＤＭＡ４のうちの何れかから再生した内容もしくはＴＤＭＡ１４から再生した光ディスク１におけるＤＦＬ３１の最新の内容、もしくは光ディスク１への記録に伴って更新した最新のＤＦＬ３１を格納するＤＦＬ格納バッファ１４０と、記録データおよび再生データを一時的に格納するデータバッファ１５０と、交替記録を含めた記録処理や再生処理全般を制御する制御部１６０とを含む。
【００７３】
制御部１６０は、ＬＢＡ⇔ＰＢＡ間のアドレス変換を行うアドレス変換部１６１と、次にユーザデータ記録を行うべき位置を判定する記録位置判定部１６２と、交替記録が必要な場合の交替記録位置を決定する交替記録位置決定部１６３と、欠陥検出や交替記録に伴って欠陥エントリ４１の生成を行う欠陥エントリ生成部１６４と、交替記録に関わる各種情報を一時的に記憶しておくための交替情報制御メモリ１６５とを備える。
【００７４】
交替情報制御メモリ１６５には、交替記録において記録要求された位置（つまり交替元の位置）に関するＰＢＡである記録要求位置情報６０と、その交替先として割り当てたブロック３に関するＰＢＡである実記録位置情報６１と、交替記録先として割り当てたが交替記録に失敗したユーザデータ領域１５内のブロック３に関するＰＢＡである交替失敗位置情報６２と、擬似オーバーライト（ＰＯＷ）記録中であることを示すＰＯＷ記録フラグ６３等を含んでいる。なお実記録位置情報６１は、記録先ＰＢＡを示すものであり、通常のシーケンシャル記録の場合にはＮＷＡに相当するＰＢＡ、欠陥交替記録の場合にはスペア領域１６内のＰＢＡを指したりする。
【００７５】
（２）記録処理
図８は、本発明の実施の形態１における記録処理、および欠陥エントリ４１登録処理の手順を説明するフロー図である。なおこのフローでは、情報記録媒体は追記型光ディスクであるものとして説明を行う。なお、特に説明は加えないが、交替情報制御メモリ１６５に確保されている情報は、フロー開始時点で例えば０データで初期化されるものとして説明を行う。
【００７６】
ステップ８０１：光ディスク記録再生装置１００は記録要求位置を判断する。具体的には、命令処理部１１０が上位制御装置１７０から要求された記録位置情報（ＬＢＡ）を、アドレス変換部１６１において物理アドレス（ＰＢＡ）に変換し、記録要求位置を判断する。なお以降の説明では、この要求記録位置情報に相当するＬＢＡ、ＰＢＡをそれぞれ記録要求ＬＢＡ、記録要求ＰＢＡとして表記する。なお通常は上位制御装置１７０から記録位置情報に加えて記録要求サイズも通知されるが、本発明の実施の形態１では説明簡略化のため、記録要求サイズは１ブロック（２０ｈセクタ）であるものとする。
【００７７】
ステップ８０２：記録位置判定部１６２は今回の記録が上書き記録（ＰＯＷ記録）か否か、より限定して言えばユーザデータ領域１５への交替記録を伴う記録か否かを判断する。具体的には、記録位置判定部１６２は記録要求ＬＢＡ（もしくは記録要求ＰＢＡ）が記録済みの領域であるか否かを判断する。より詳細には、一連の連続記録を行う領域であるトラックにおいて、記録要求された位置が次に記録を行う位置であるＮＷＡと合致すればシーケンシャル記録、トラック先頭からＮＷＡの間であればＰＯＷ記録と判断する。そして、その判断結果をＰＯＷ記録フラグ６３として、例えばＰＯＷ記録ならＴＲＵＥ（１）、そうでなければＦＡＬＳＥ（０）として記憶する。つまりこのＰＯＷ記録フラグ６３は、ユーザデータ領域１５への交替記録を伴う記録中か否かを示す情報である。なおＰＯＷ記録として判定された場合は、記録位置判定部１６２は同時に、この記録は交替記録が必要であると判断する。なお、ＰＯＷ記録フラグ６３の値はあくまで例であり、真偽が区別できる値であればどのような値でも良い。
【００７８】
ステップ８０３：ステップ８０２で上書き記録（ＰＯＷ記録）と判定された場合は、ステップ８０４〜ステップ８０６、通常記録（シーケンシャル記録）と判定された場合はステップ８０７の処理を行う。
【００７９】
ステップ８０４：記録位置判定部１６２は記録要求ＰＢＡを記録要求位置情報６０として記憶する。
【００８０】
ステップ８０５：交替記録位置決定部１６３は交替記録位置を決定する。つまり、領域１に対して、交替のために領域２を割り当てる。具体的には、記録位置判定部１６２が交替記録必要と判断した場合、交替記録位置決定部１６３はユーザデータ領域１５における記録要求ＬＢＡ（もしくは記録要求ＰＢＡ）を含むトラックにおいて、次に記録を行う位置であるＮＷＡが指す未記録領域の位置（ＰＢＡ）をＰＯＷ交替記録先として決定し、実記録位置情報６１として記憶する。なお、この例では記録要求ＬＢＡ（もしくは記録要求ＰＢＡ）を含むトラックのＮＷＡを交替記録先として割り当てる例で説明したが、光ディスク１上に複数のトラックが存在する場合には、ＰＯＷの交替記録先として割り当てるＮＷＡは必ずしも同一トラックでなくとも良い。なお、記録要求位置である記録要求ＰＢＡと、ＰＯＷ交替先として割り当てるＮＷＡが指す未記録領域のＰＢＡとが同一になることは無い。なおこの例では、記録要求ＰＢＡが示す領域が領域１、ＰＯＷ交替記録先として決定するＮＷＡが指す位置（ＰＢＡ）の未記録領域が領域２に相当する。
【００８１】
ステップ８０６：欠陥エントリ生成部１６４は、上書き記録（ＰＯＷ記録）に伴い、新たな欠陥エントリ４１を生成する。具体的には欠陥エントリ生成部１６４は、記録要求位置情報６０が示すＰＢＡを交替元情報５０、実記録位置情報６１が示すＰＢＡを交替先情報５１とした新たな欠陥エントリ４１を生成し、ＤＦＬ格納バッファ１４０に登録する。なお、この時点でＤＦＬ格納バッファ１４０に格納されているＤＦＬ３１に、記録要求位置情報６０が示すＰＢＡと同一ＰＢＡの欠陥エントリ４１が存在する場合には、その欠陥エントリ４１における交替先情報５１を、実記録位置情報６１で更新する。なお、この時点で記録要求位置情報６０が示すＰＢＡと同一ＰＢＡの欠陥エントリ４１が存在する場合としては、例えば記録要求位置情報６０が示すＰＢＡに対して以前にもＰＯＷ記録が実施されていた場合などがある。
【００８２】
ステップ８０７：通常記録の場合、記録位置判定部１６２は記録要求ＰＢＡを実記録位置情報６１として記憶する。
【００８３】
ステップ８０８：制御部１６０は光ディスク１へ記録を行う。具体的には制御部１６０は、実記録位置情報６１が示すＰＢＡから、指定されたサイズ分（今回の例では１ブロック：２０ｈセクタ）のデータ記録を行うよう記録処理部１２０へ命令を行い、記録処理部１２０は光ディスク１へデータ記録を行う。
【００８４】
ステップ８０９：制御部１６０は、ステップ８０８での記録が成功したか否かを判断する。具体的には制御部１６０は、ステップ８０８で記録を行った領域から再生処理部１３０を用いて記録データを読み出し、記録に成功したか否かを判断する。記録に成功した場合はステップ８１５、記録に失敗した場合は実記録位置情報６１の示すＰＢＡのブロック３が欠陥であったと判断し、ステップ８１０〜ステップ８１４の処理を行う。
【００８５】
ステップ８１０：ＰＯＷ記録の交替記録による欠陥検出の場合には、ステップ８１１、ステップ８１２の処理を行い、さらにＰＯＷ記録に関わらずステップ８１３、ステップ８１４の処理を行う。具体的には、制御部１６０は、ＰＯＷ記録フラグ６３がＴＲＵＥ（１）の場合には、ステップ８１１、ステップ８１２の処理を行った後、続けてステップ８１３、ステップ８１４の処理を行うが、ＦＡＬＳＥ（０）の場合にはステップ８１１、ステップ８１２の処理は行わない。
【００８６】
ステップ８１１：交替記録に失敗した位置情報を記憶する。具体的には、制御部１６０はＰＯＷ記録における交替記録に失敗した位置、つまり実記録位置情報６１に記憶されているＰＢＡを交替失敗位置情報６２に格納する。ＰＯＷ記録の交替先ＰＢＡであるため、交替失敗位置情報６２はユーザデータ領域１５中のＰＢＡとなる。
【００８７】
ステップ８１２：ＰＯＷ記録中状態を解除する。具体的には、制御部１６０は、ＰＯＷ記録フラグ６３をクリアする。本発明の実施の形態１においては、ＰＯＷ交替先として割り当てた領域への記録処理が完了した時点で、ＰＯＷ記録中状態を解除するものとする。
【００８８】
ステップ８１３：交替記録位置決定部１６３は交替記録位置を決定する。つまり、領域２が欠陥である場合に、領域１の交替のために領域３を割り当てる。具体的には交替記録位置決定部１６３は、ＰＯＷ記録交替先として割り当てた実記録位置情報６１が示す欠陥ブロックの更なる交替先として、スペア領域１６内のブロック３を選択し、これを新たな交替記録位置として実記録位置情報６１を更新する。なおこの例の場合は、記録要求ＰＢＡが示す領域が領域１に、ＰＯＷ交替先として割り当てられた欠陥ブロックであった領域が領域２に、新たな交替記録位置として選択したスペア領域１６内の領域が領域３に相当する。なお、領域３は、領域１および領域２とは異なる領域である。
【００８９】
ステップ８１４：欠陥エントリ生成部１６４は欠陥交替記録に伴い、欠陥エントリ４１を生成する。具体的には欠陥エントリ生成部１６４は、ＤＦＬ格納バッファ１４０に格納されているＤＦＬ３１において、記録要求位置情報６０が示すＰＢＡと同一ＰＢＡの欠陥エントリ４１が存在する場合には、その欠陥エントリ４１における交替先情報５１を、現在保持している実記録位置情報６１で更新する。なお、この時点で記録要求位置情報６０が示すＰＢＡと同一ＰＢＡの欠陥エントリ４１が存在する場合としては、例えば上記ステップ８０６においてＰＯＷ記録に伴って欠陥エントリ４１を生成していた場合などがある。存在しない場合には、現在保持している記録要求位置情報６０が示すＰＢＡを交替元情報５０、実記録位置情報６１が示すＰＢＡを交替先情報５１とした新たな欠陥エントリ４１を生成し、ＤＦＬ格納バッファ１４０に登録する。その後、ステップ８０８へ戻る。
【００９０】
ステップ８１５：交替失敗位置情報６２に有効なデータが格納されているかいなかを判断する。具体的には制御部１６０は、交替失敗位置情報６２の値が初期値（０）ではない場合、有効なデータが格納されていると判断し、ステップ８１６の処理を行う。
【００９１】
ステップ８１６：新たな欠陥エントリ４１を生成する。つまり、領域２の交替のために領域３を割り当てる。具体的には欠陥エントリ生成部１６４は、交替失敗位置情報６２に格納されているＰＢＡを交替元情報５０、交替記録に成功した位置が格納されている実記録位置情報６１が示すＰＢＡを交替先情報５１とした欠陥エントリ４１を新たにＤＦＬ格納バッファ１４０に登録する。なお、交替失敗位置情報６２に格納されている値はステップ８１１で説明したようにＰＯＷ記録の交替先として割り当てられたユーザデータ領域１５中のＰＢＡであるため、このＰＢＡと同一ＰＢＡを含む欠陥エントリ４１がこの時点でＤＦＬ格納バッファ１４０（ＤＦＬ３１）に存在することは無い。なおこの例では、ＰＯＷ交替先として割り当てられた交替失敗位置情報６２が示す領域が領域２に、交替記録に成功した位置である実記録位置情報６１が示す領域が領域３に相当する。
【００９２】
なお上記ステップ８１５、ステップ８１６に相当する処理は、例えばステップ８１１、もしくはステップ８１２の後で実施したとしても、同様の効果を得ることが出来る。
【００９３】
以上の手順で記録処理が完了する。
【００９４】
図９は、図８で示すフローにてＰＯＷ記録を行った場合の追記型光ディスクの状態を示す説明図である。図６の場合と同様、ＰＯＷ記録の交替先ブロックとして用いるＬＢＡ：１００ｈに相当するＰＢＡ：１２０１００ｈのブロック３が欠陥ブロックであるとする。
【００９５】
図９（Ａ）は、ＰＯＷ記録を行う前の状態であり、図６（Ａ）と同じである。ＬＢＡ：０ｈの位置から、１００ｈセクタのサイズのデータを連続記録した後の追記型光ディスクの状態を示している。次に記録可能な位置であるＮＷＡは１００ｈである。
【００９６】
図９（Ｂ）は、図６（Ｂ）同様、既に記録済みであるＬＢＡ：０ｈのブロック３に対して２０ｈセクタのサイズのデータを擬似オーバーライト（ＰＯＷ）記録した後の追記型光ディスクの状態を示している。記録済み領域への上書き要求に対して、ユーザデータ領域１５中のＮＷＡが示すＬＢＡ：１００ｈ（ＰＢＡ：１２０１００ｈ）のブロック３を交替先として割り当て、そこへ交替記録される。しかしこの場合、交替先として割り当てられたＮＷＡが指すＰＢＡ：１２０１００ｈのブロック３は欠陥ブロックであるためこのブロック３へのデータ記録は失敗し、さらなる交替領域としてスペア領域１６中のブロック３（図の例ではＰＢＡ：１０００００ｈのブロック３）が割り当てられ、この領域へ交替記録される。そして、交替先へのデータ記録が成功した場合には、２つの新たな欠陥エントリ４１がＤＦＬ３１に登録される。１つは、交替元情報５０として記録要求を受けた位置、つまりＬＢＡ：０ｈに相当するＰＢＡ：１２００００ｈ、交替先情報５１として最終的に交替記録された位置、つまりＰＢＡ：１０００００ｈの欠陥エントリ４１であり、もう１つは、交替元情報５０としてＰＯＷ記録交替先として割り当てられたが欠陥であった位置、つまりＰＢＡ：１２０１００ｈ、交替先情報５１として最終的に交替記録された位置、つまりＰＢＡ：１０００００ｈの欠陥エントリ４１である。この結果、ＬＢＡ：０ｈおよびＬＢＡ：１００ｈはいずれも、ＰＢＡ：１０００００ｈのブロック３が相当することになる。
【００９７】
ここで、複数のＬＢＡとして同一ＰＢＡが割り当てられる状態を考えてみる。
【００９８】
図１０は同一ＰＢＡに対して２つのＬＢＡ（論理空間）が割り当てられた場合の情報記録媒体の状態を示す説明図である。
【００９９】
書換え型メディアの場合、同一ＰＢＡに対して複数のＬＢＡが割り当てられる状態は作り出してはならない。なぜなら図１０（２）に示すように、ユーザから見た異なる論理空間位置が情報記録媒体における同一位置となってしまうため、仮にユーザがＬＢＡ：ａ（ＰＢＡ：Ａ）のブロック３にデータを上書きしようとして交替先であるＰＢＡ：Ｓのブロック３のデータを更新すると、結果的に全く異なる論理空間中のブロック３であるＬＢＡ：ｂ（ＰＢＡ：Ｂ）のブロック３のデータも書き換えてしまうことになるためである。
【０１００】
しかし追記型光ディスクの場合には、同一ＰＢＡに対して複数のＬＢＡが割り当てられたとしても、書換え型メディアのように問題になることは無い。なぜなら追記型光ディスクは書換え型光ディスクと違って同一ＰＢＡへのデータ上書き更新が出来ないためで、図１０（１）のように同一ＰＢＡのブロック３に対して複数のＬＢＡのブロック３が割り当てられている場合は、複数のＬＢＡから読み出されるデータが全て同じ値となるだけである。つまりこの図の場合、ＬＢＡ：ａのブロック３、およびＬＢＡ：ｂのブロック３から読み出されるデータは、いずれもＰＢＡ：Ｓのブロック３に記録されているデータとなる。つまり本発明の実施の形態１に示す方法は、追記型光ディスクのような追記型領域を備えた情報記録媒体に対して有効な方法であると言える。
【０１０１】
このように本発明の実施の形態１に示す手法により、ＰＯＷ記録の交替先として割り当てられたユーザデータ領域１５中のブロック３が欠陥であったとしても、欠陥ブロックの交替先に関する欠陥エントリ４１もあわせてＤＦＬ３１に登録されるため、ユーザからのデータアクセスが発生する論理空間に相当する領域内に欠陥ブロックが放置されることは無くなり、ファイルシステム情報を介して読み出し（再生）しようとした場合に加えて、追記型光ディスクのデータを他の情報記録媒体に直接コピーするようなツールなどからデータの読み出しが行われた場合も、欠陥ブロックからのデータ読み出しが行われることはなくなり、ディスクコピーに失敗するといった課題を防ぐことが出来る。
【０１０２】
また交替先情報５１として有効なブロック３を示した欠陥エントリ４１をＤＦＬ３１に登録するため、例えば本発明の実施の形態１で示す機能を備えた光ディスク記録再生装置１００で記録された光ディスクは、この機能を備えない再生装置においても再生可能であるという特徴も持つ。
【０１０３】
なお本発明の実施の形態１では、上記ステップ８１６において、新たに登録する欠陥エントリ４１の交替先情報５１として実記録位置情報６１が示すＰＢＡを用いる例を説明したが、交替先情報５１として登録するＰＢＡは実記録位置情報６１でなくとも良い。より具体的に言えば、交替先情報５１として正常にデータの読み出しを行うことが出来るブロック３が使用されていれば、本発明の実施の形態１と同様の効果を得ることが出来る。これらの具体例について、一例を本発明の実施の形態２で説明する。
【０１０４】
（実施の形態２）
（１）装置構成
本発明の実施の形態２における光ディスク記録再生装置１００の構成は、本発明の実施の形態１で説明したものと同じであるため、説明は省略する。
【０１０５】
（２）記録処理
本発明の実施の形態２における記録処理は、本発明の実施の形態１で説明したものと、ステップ８１６において生成する欠陥エントリ４１の内容が異なるだけで、他は全て同じであるため、それらの説明は省略する。なおこのフローでは、情報記録媒体は追記型光ディスクであるものとして説明を行う。
【０１０６】
ステップ８１６：新たな欠陥エントリ４１を生成する。つまり、領域２の交替のために領域４を割り当てる。具体的には欠陥エントリ生成部１６４は、交替失敗位置情報６２に格納されているＰＢＡを交替元情報５０、任意のＰＢＡを交替先情報５１とした欠陥エントリ４１を新たにＤＦＬ格納バッファ１４０に登録する。なおこの例では、ＰＯＷ交替先として割り当てられた、交替失敗位置情報６２が示す領域が領域２に、交替先情報５１として登録する任意のＰＢＡが領域４に相当する。なお、領域３と領域４は異なる領域である。
【０１０７】
図１１は、交替先情報５１として登録する任意のＰＢＡに関する具体例である。
【０１０８】
これらはいずれも、本発明の実施の形態１と同様の効果を得ることが出来る。なお図１１は、ＬＢＡ：ａに対してＰＯＷ記録を行ない、その交替先として割り当てられたＬＢＡ：ｂ（ＰＢＡ：Ｂ）のブロック３が欠陥ブロックであった場合を示している。
【０１０９】
図１１（例１）は、ＰＯＷ交替先として割り当てられたブロック３（ＰＢＡ：Ｂ）の直前、もしくは近傍の正常に記録できたブロック３（例えばＰＢＡ：Ｃ）を交替先情報５１とする場合である。具体的には、この例で記載しているＰＢＡ：Ｃは、欠陥であったＰＢＡ：Ｂの直前に位置する正常に記録できたブロック３、つまりＰＯＷ交替先として領域を割り当てる際に、ＮＷＡが指していたブロックの直前のブロック３である。この例のメリットは、再生されても意味を持つことが無いＬＢＡ：ｂのデータとして、その近傍の正常なブロック３を割り当てることで、ＬＢＡ：ｂへの再生要求に対して、シークやディスク回転待ちなどのアクセスオーバーヘッド要因を極力少なくすることが出来る領域を交替先領域５１として割り当てることで、実際の交替先情報５１が示すＰＢＡからの読み出し処理、つまりアクセス処理を高速に行うことが出来るという点である。
【０１１０】
図１１（例２）は、データ領域５とは異なる領域のブロック３のＰＢＡ（例えばリードイン領域４中のＰＢＡ：Ｄ）を交替先情報５１とする場合である。例えば、必ず０データが記録されている領域中のブロック３など、所定のデータが記録されているブロック３を指すのも良い。この例のメリットは、データ領域５には含まれない領域を交替先情報５１とした欠陥エントリ４１が登録されていた場合には、実際に情報記録媒体からのデータ読み出し処理を行わずに、所定のデータ（例えば０データ）を読み出されたデータとするというように、光ディスク記録再生装置１００において制御を行うことが出来る点である。例えば、交替先情報５１として０やＦＦＦＦＦＦＦＦｈなど、情報記録媒体上には実在しない（ＰＢＡとして取ることの無い）値を入れておいても、同様の制御を行うことが出来る。但し、この例のようにデータ領域５では異なるＰＢＡ値を交替先情報５１とした欠陥エントリ４１がＤＦＬ３１に登録されている場合は、その欠陥エントリ４１は無効であると判定するような再生装置が存在する恐れもあるため、注意が必要である。
【０１１１】
なお、本発明の実施の形態２では、記録対象の情報記録媒体として追記型光ディスクを用いた例を説明したが、交替先情報５１としてデータ領域５には含まれない領域が登録されている場合に、実際に情報記録媒体からのデータ読み出し処理を行わずに、所定のデータ（例えば０データ）を読み出されたデータとするというような制御は、書換え型メディア等に対しても有効な方法である。
【０１１２】
なお、本発明の実施の形態１および本発明の実施の形態２では、ユーザデータ領域１５に対する欠陥交替用の領域としてスペア領域１６が存在しるものとして説明を行ったが、スペア領域１６は必ずしも存在しなくとも良く、例えば欠陥ブロックの交替先としてもユーザデータ領域を用いても、同様の効果を得ることが出来る。
【０１１３】
なお、本発明の実施の形態１および本発明の実施の形態２では、交替先として割り当てたユーザデータ領域１５中のブロックが欠陥であった場合に、直ぐにスペア領域１６を次に割り当てる交替先として使用した例を示したが、スペア領域１６への交替記録を行なう前にユーザデータ領域１６に対して更なる交替記録を行なっても良い。
【０１１４】
なお、本発明の実施の形態１および本発明の実施の形態２では、例えば図８で示すように実記録処理時に、有効なデータが割り当てられていない論理空間内のブロック３を交替元情報５０とした欠陥エントリ４１をＤＦＬ３１へ登録する方法を示したが、例えば本発明の実施の形態１で説明したようなＰＯＷ交替先が欠陥ブロックであった場合など、論理空間内であるが有効なデータが割り当てられていない領域を交替元情報５０として備え、有効なデータが割り当てられていないことを示す情報を備えた欠陥エントリ４１をＤＦＬ３１に登録しておき、所定のタイミング（例えばディスクのファイナライズ時など）にそれらの欠陥エントリ４１における交替先情報５１として同一ＰＢＡを一意に割り当てるといった方法も有効である。つまり、上記で示した他の情報記録媒体に直接コピーするようなツールを対象とした場合は、このようなツールで使用される前までに、論理空間内のブロック３として有効なデータが読み出せる状態にしておくという考え方も有効である。
【０１１５】
なお本発明の実施の形態１および本発明の実施の形態２において、図８で説明した処理フローはあくまで一例であり、手順やシーケンスはこれに限ったものではない。より具体的には、少なくとも、領域１に対して、交替のために領域２を割り当てるステップであるステップ８０５およびステップ８０６と、前記領域２が欠陥である場合に、前記領域１の交替のために領域３を割り当てるとともに、前記領域２の交替のために前記領域３（もしくは領域４）を割り当てるステップであるステップ８１３、ステップ８１４、ステップ８１６とが含まれていれば、本発明の効果を得ることが出来る。
【０１１６】
なお本発明の実施の形態１および本発明の実施の形態２では、追記型光ディスクにおける擬似オーバーライト記録処理を対象として説明を行ったが、擬似オーバーライトに限らず、交替記録が発生しなくともＬＢＡが割り当てられる論理空間、具体的にはユーザデータ領域１５を交替先として使用する交替記録処理に対して有効な方法である。つまり、交替が発生することが無い限りホスト装置からアクセスされることのないスペア領域１６に対して交替記録する通常の欠陥交替処理とは違い、交替が発生しなくともホスト装置からアクセスされうるユーザデータ領域１５を交替先として割り当てる交替記録処理において、割り当てたユーザデータ領域１５内の交替先が欠陥であった場合にさらに別の領域へ交替するという交替の交替記録等において、交替先として割り当てたが欠陥であったユーザデータ領域１５内の領域についても交替先を割り当てた形で欠陥エントリ４１としてＤＦＬ３１に登録することで、ユーザデータ領域１５内に欠陥領域を放置させず、以後のホスト装置からの再生要求に再生エラーを起こすことなく対応することが出来る。
【産業上の利用可能性】
【０１１７】
本発明にかかる情報記録再生方法は、擬似オーバーライト機能を備えた追記型光ディスクを記録再生可能な光ディスクドライブ装置などに適用できる。
【図面の簡単な説明】
【０１１８】
【図１】一般的な光ディスクの領域構成図
【図２】一般的な光ディスクのデータ構造説明図
【図３】従来技術による、欠陥交替記録に関する説明図
【図４】従来技術による、欠陥交替先が欠陥であった場合の欠陥交替記録に関する説明図
【図５】従来技術による、擬似オーバーライトによる交替記録に関する説明図
【図６】従来技術による、擬似オーバーライトの交替先が欠陥であった場合の、欠陥交替記録に関する説明図
【図７】本発明の実施の形態１による、光ディスク記録再生装置１００のブロック図
【図８】本発明の実施の形態１による、記録処理および欠陥エントリ４１登録処理手順を示す図
【図９】本発明の実施の形態１による、擬似オーバーライトの交替先が欠陥であった場合の、欠陥交替記録に関する説明図
【図１０】本発明の実施の形態１による、同一ＰＢＡを交替先情報５１として備える欠陥エントリ４１が複数存在する場合の説明図
【図１１】本発明の実施の形態２による、ＤＦＬ３１へ登録する欠陥エントリ４１の具体例説明図
【符号の説明】
【０１１９】
１    光ディスク
２    トラック
３    ブロック
４    リードイン領域
５    データ領域
６    リードアウト領域
１０，１１，１２，１３    ＤＭＡ
１５    ユーザデータ領域
１６    スペア領域
３０    ディスク定義構造（ＤＤＳ）
３１    欠陥リスト（ＤＦＬ）
４０    欠陥リストヘッダ
４１    欠陥エントリ
４２    欠陥リストアンカ
５０    交替元情報
５１    交替先情報
６０    記録要求位置情報
６１    実記録位置情報
６２    交替失敗位置情報
６３    ＰＯＷ記録フラグ
１００    光ディスク記録再生装置
１１０    命令処理部
１２０    記録処理部
１３０    再生処理部
１４０    ＤＦＬ格納バッファ
１５０    データバッファ
１６０    制御部
１６１    アドレス変換部
１６２    記録位置判定部
１６３    交替記録位置決定部
１６４    欠陥エントリ生成部
１６５    交替情報制御メモリ
１７０    Ｉ／Ｏバス
【図１】
2009230830.tif 000003
【図２】
2009230830.tif 000004
【図３】
2009230830.tif 000005
【図４】
2009230830.tif 000006
【図５】
2009230830.tif 000007
【図６】
2009230830.tif 000008
【図７】
2009230830.tif 000009
【図８】
2009230830.tif 000010
【図９】
2009230830.tif 000011
【図１０】
2009230830.tif 000012
【図１１】
2009230830.tif 000013